(57)【要約】      （修正有）【課題】直接魚体に触れることなく計測あるいは撮影でき、魚体の乾燥を低減し、魚が弱りにくく損傷しにくくした筒状魚体計測器具を提供する。【解決手段】可撓性素材よりなる筒状の魚体収納袋体１に収納魚体Ｆの長さ方向に沿った目盛り部４０を形成し、前記筒状の魚体収納袋体１を長さ方向において上下に開閉自在に構成し、さらに前記目盛り部４０のゼロ点の前に位置する魚体収納袋体１の前部を折りしろ部７０とし、該折りしろ部７０の折曲により魚体収納袋体１の前端開放部を閉塞状に変形可能としたことを特徴とする筒状魚体計測器具。【選択図】図１
2018166456.tif 000002
【特許請求の範囲】
【請求項１】
可撓性素材よりなる筒状の魚体収納袋体に収納魚体の長さ方向に沿った目盛り部を形成したことを特徴とする筒状魚体計測器具。
【請求項２】
筒状の魚体収納袋体を長さ方向において上下に開閉自在に構成したことを特徴とする請求項１に記載の筒状魚体計測器具。
【請求項３】
目盛り部のゼロ点の前に位置する魚体収納袋体前部を折りしろ部とし、折りしろ部の折曲により魚体収納袋体の前端開放部を閉塞状に変形可能としたことを特徴とする請求項１または２に記載の筒状魚体計測器具。
【発明の詳細な説明】
【技術分野】
【０００１】
本発明は、魚の長さを計測するための筒状魚体計測器具に関するものである。
【背景技術】
【０００２】
従来から、魚の長さを計測する際に用いる魚体計測具は種々提案されている。
（特許文献１参照）
【０００３】
従来、魚の長さを計測する技術としては、釣り上げた魚の長さをメジャーで計測してその大きさの全長を確認して計測結果を記録したり、またはメジャーで長さを計測している状態を写真に撮り写真に写った計測目盛を写真として記録する。
【０００４】
かかる魚体の計測方法としては、釣り上げた魚体を台に載せて横にして魚体の長さ方向に沿って巻き尺を直線状に延ばし、魚体の頭部先端から尾鰭部後端までの長さを目盛りで測ることが一般に行われている。
【０００５】
なお、ブラックバスなど魚種によっては、長さの計測をした後、あるいは計測して撮影終了後に放流することも頻繁に行われている。
【先行技術文献】
【特許文献】
【０００６】
【特許文献１】特開２０１６-１６４５４２
【特許文献２】特開２０１２-２２０４１４
【発明の概要】
【発明が解決しようとする課題】
【０００７】
このように魚体の長さ計測方法としては、魚体を台に横に載せて巻き尺を直線状に延ばして測るのが一般的であるが、元来、生きている魚の長さを計測する場合魚が暴れて計測が困難であり、また、計測装置を使用し写真撮影する場合等は魚体を素手で触りながら両手で基台上に固定する必要があり、かかる計測作業を無理に行うと魚体を損傷し魚を弱らせるという問題があった。
更には、女性や釣り初心者の中には計測のために素手で直接魚に触れることに抵抗を感じる人もいる。
【課題を解決するための手段】
【０００８】
この発明は、可撓性素材よりなる筒状の魚体収納袋体に収納魚体の長さ方向に沿った目盛り部を形成したことを特徴とする筒状魚体計測器具を提供せんとする。
また、この発明は、筒状の魚体収納袋体を魚体長さ方向において上下に開閉自在に構成したことにも特徴を有する。
また、この発明は、目盛り部のゼロ点の前に位置する魚体収納袋体前部を折りしろ部とし、折りしろ部の折曲により魚体収納袋体の前端開放部を閉塞状に変形可能としたことにも特徴を有する。
【発明の効果】
【０００９】
請求項１の発明によれば、可撓性素材よりなる筒状の魚体収納袋体に収納魚体の長さ方向に沿った目盛り部を形成したことにより、従来のメジャーを使用する場合と比較して、釣り上げた魚の大きさの計測時に魚体の損傷を大幅に低減することができる。
また、可撓性素材よりなる筒状の魚体収納袋体としたことにより計測のために収納した魚体表面に魚体収納袋体の内表面が密着することになるため収納魚体の長さ方向に沿って形成した目盛り部により簡単にかつ正確に魚体の長さを計測することができる効果があり、しかも、魚体収納袋体中に収納するため魚の表面が乾燥しにくく、魚が弱らないようにすることができる効果がある。
更には、魚体収納袋体は可撓性素材よりなるため細い魚など魚体が曲がりやすい形状であっても計測時に袋体外部から魚体を直線状に矯正して正確な魚長計測が可能となる効果がある。
しかも、ブラックバスなど漁獲後に放流する魚種によっては、計測終了後、魚体収納袋体の外部へ漁獲魚を押出すことにより魚に触れることなく放流することが可能となる効果がある。
【００１０】
請求項２の発明によれば、筒状の魚体収納袋体を魚体長さ方向において上下に開閉自在に構成したことにより、魚体収納袋体中に魚を入れる時には袋体を上下に開き、計測する際には閉じることができるため簡便に計測のための魚体準備ができる効果があり、また、魚体収納袋体を魚体長さ方向において上下に開閉自在としたことにより魚体収納袋体を開放して内部の洗浄および乾燥を容易に行うことができる効果がある。
【００１１】
請求項３の発明によれば、目盛り部のゼロ点の前に位置する魚体収納袋体前部を折りしろ部とし、折りしろ部の折曲により魚体収納袋体の前端開放部を閉塞状に変形可能としたことにより、魚体収納袋体に魚体を収納した後に目盛部のゼロ点の位置で裏側に折り曲げると容易に魚の頭部先端をゼロ地点に位置決めすることができ、魚体長の計測時間を短縮することが可能となる効果がある。
【図面の簡単な説明】
【００１２】
【図１】実施形態１における魚体収納袋体１の使用状態を説明する模式図であって、（Ａ）は使用状態の魚体収納袋体の縦断面図、（Ｂ）は同平面図である。
【図２】実施形態１における魚体収納袋体１を説明する模式図であって、（Ａ）は魚体収納袋体の縦断面図、（Ｂ）は魚体収納袋体の平面図、（Ｃ）は連結部材を開操作して魚体収納袋体を上下に展開した状態の縦断面図、（Ｄ）は連結部材を展開操作して魚体収納袋体を上下に展開した状態の平面図である。
【図３】実施形態２における魚体収納袋体２の模式図であって、（Ａ）は魚体収納袋体の縦断面図、（Ｂ）は魚体収納袋体の平面図、（Ｃ）は連結部材を展開操作して魚体収納袋体を上下に展開した状態の縦断面図、の縦断面図、（Ｄ）は連結部材を展開操作して魚体収納袋体を上下に展開した状態の平面図である。
【図４】実施形態３の魚体収納袋体３を説明する模式図であって、（Ａ）は魚体収納袋体の縦断面図、（Ｂ）は魚体収納袋体の平面図、（Ｃ）は魚体収納袋体の連結部材を展開した縦断面図、（Ｄ）は魚体収納袋体の連結部材を展開した平面図である。
【図５】実施形態４の魚体収納袋体１，２，３を説明する模式図であって、（Ａ）は実施形態４における使用状態の魚体収納袋体１を説明する斜視図であり、（Ｂ）は実施形態４における使用状態の魚体収納袋体２を説明する斜視図であり、（Ｃ）は実施形態４の魚体収納袋体３を説明する模式図の斜視図である。
【発明を実施するための形態】
【００１３】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００１４】
この発明の要旨は、可撓性素材よりなる筒状の魚体収納袋体に収納魚体の長さ方向に沿った目盛り部を形成したことを特徴とする筒状魚体計測器具に関する。
また、筒状の魚体収納袋体を魚体長さ方向において上下に開閉自在に構成したことにも特徴を有する。
また、目盛り部のゼロ点の前に位置する魚体収納袋体前部を折りしろ部とし、折りしろ部の折曲により魚体収納袋体の前端開放部を閉塞状に変形可能としたことにも特徴を有する。
【００１５】
筒状魚体計測器具を構成する魚体収納袋体１，２，３は、図１（Ａ）、（Ｂ）〜図４（Ａ）、（Ｂ）に示すように長手状のシート状部材単体１０と長手状の透明シート状部材単体２０を継ぎ目５０を介して長筒状に連設することにより透明な可撓性素材よりなる魚体収納袋体１，２，３に構成している。また、魚体収納袋体１，２，３は魚体長手方向において上下に開閉操作可能な連結部材３０により長手方向で上下開閉自在な筒状の魚体収納袋体１，２，３に構成している。
長手状のシート状部材単体１０と長手状の透明シート状部材単体２０を継ぎ目５０を介して長筒状に連設するに際しては、シート状部材単体１０は筒状の魚体収納袋体１，２，３における袋体の基板を構成するように肉厚平面樹脂板を使用し魚体収納袋体１，２，３の保形機能を果たすように構成し、また長手状の透明シート状部材単体２０は魚体を収納する場合に膨大するように一定のゆとりの幅員を形成している。
しかも、筒状の魚体収納袋体１，２，３の表面又は内面には収納魚体の長さ方向に沿って目盛り部４０を形成している。
すなわち、例えば１センチメートル刻みで目盛を表示し５センチメートル刻みや１０センチメートル刻みの所定目盛部分で節々のセンチメートル表示をすることにより魚体の長さを一目で認識することができるようにしている。
また、筒状の魚体収納袋体１，２，３は目盛り部４０のゼロ点６０よりも前端を伸延し前端が目盛り部４０よりも長いゆとり部分を形成しており、このゆとり部分を折りしろ部７０としている。すなわち、ゼロ点６０の前部分の魚体収納袋体１，２，３前部を折りしろ部７０とし、この折りしろ部７０を裏側に折り曲げることにより魚体収納袋体１，２，３前端の開口部が折り曲げ部分で閉塞され袋底部のような形に変形されることになる。従って、このゼロ点６０の折り曲げ部分に魚体の先端嘴を当接するように魚体収納袋体１，２，３中に魚を収納し魚体を伸長すれば簡便に魚体の全長測定が可能となる。
本発明の筒状魚体計測器具を構成する魚体収納袋体の使用方法を説明すると、図１に示すようにシート状部材単体１０と同じく透明シート状部材単体２０を長手方向の端縁で継ぎ合わせて折曲自在に構成しており、自由端縁には連結部材３０を設けて自由端縁同士を連結することにより一定の長さの筒状の魚体収納袋体を構成可能にしている。
従って、筒状の魚体収納袋体の中に魚体Ｆを挿入収納するに際しては、連結部材３０を解除してシート状部材単体１０と透明シート状部材単体２０を展開して平面シート状に変形しその上に魚体Ｆを載置しその後連結部材３０を連結してシート状部材単体１０と透明シート状部材単体２０を一体の筒状に組立て外部から魚体Ｆを伸長して目盛り部４０を外部より読み取ることにより魚体Ｆの全長を計測することができる。
【００１６】
図２（Ｃ）、（Ｄ）〜図４（Ｃ）、（Ｄ）は図２〜図４の開閉可能な連結部材３０を解除して上下に開いた図である。
開閉可能な連結部材３０を長手方向で上下で開くことにより筒状の魚体収納袋体１，２，３は平面シート状となる。
このように魚体収納袋体１，２，３をシート状に展開しその上に魚体Ｆを載置して連結部材３０を連結して再度筒状に組み立てることにより容易に魚体Ｆを魚体収納袋体１，２，３中に収納でき、また計測後に魚体収納袋体１，２，３を上下展開し平面化することにより魚体収納袋体１，２，３内面の洗浄、乾燥も容易とすることができる。
【００１７】
図１〜図５の目盛り部４０は魚体収納袋体１，２，３の外表面に印刷されているが、魚体収納袋体１，２，３の内表面に印刷されていても構わない。かかる目盛り部４０は透明シート状部材単体２０に表示しており、従って、透明シートにより魚体が透視可能であると共に、透明シート状部材単体２０に印刷表示された目盛り部４０で魚体の長さを計測できる。
【００１８】
図１〜図５の目盛り部４０は上下二列に数字が付されているが、これは魚体が魚体収納袋体１，２，３の上半側部、下半側部のどちら側に偏って収納されても目盛り部４０の数字が読めるようにしている。
特に必要がない場合は一列の目盛部でもよい。
【００１９】
図１〜図５の開閉可能な連結部材３０は面ファスナー、ボタンスナップ、ホック、チャック、スライダー式チャック等があり、いずれにもオスとメスの一対の係合構造としており、連結部材３０の連結解除操作により筒状の魚体収納袋体１，２，３を長さ方向において上下に開閉自在な展開構造としていることを特徴とする。
【００２０】
図１（Ａ）、（Ｂ）〜図４（Ａ）、（Ｂ）のシート状部材単体１０と透明シート状部材単体２０の継ぎ目５０は各シート状部材単体１０、２０の折曲自在な接合部分となるが、必要に応じてこの継ぎ目５０を切離して切離端縁部に開閉操作可能な前述の連結部材３０を設けることもできる。従って、この継ぎ目５０から筒状の魚体収納袋体１，２，３を上下に開閉可能とすることができる。
また、図１〜図４の各（Ａ）、（Ｂ）では、開閉可能な連結部材３０は筒状の魚体収納袋体１，２，３の上部接合部分（図面上の開閉可能な連結部材３０）に配置しているが、開閉可能な連結部材３０は筒状の魚体収納袋体１，２，３の下部接合部分（図面上の透明シート状部材２０とシート状部材の継ぎ目５０）に設けてもよい。
また、シート状部材単体１０は魚体Ｆを載置した際に魚体Ｆとの間にコントラストを生じ、計測や写真撮影などが容易となるように有彩色で構成されていても良く、例えば黄色で構成しても良い。
なお、透明シート状部材単体２０は透明塩化ビニールシート等の素材を使用し、シート状部材単体１０と共に筒状を構成する連結部材３０も塩化ビニールシート、防水布、ゴムシート、ターポリン等、水分をはじく素材を用いれば、一層、魚の表面が乾燥しにくく、魚体の損傷を抑制したり、魚が弱らないようにしたりすることができる。
＜実施形態１＞
【００２１】
図２を参照して本発明を適用した実施形態１に係る筒状の魚体収納袋体１について説明する。
【００２２】
図２は、実施形態１の筒状の魚体収納袋体１を説明する模式図であって、（Ａ）は筒状の魚体収納袋体１の縦断面図、（Ｂ）は筒状の魚体収納袋体１の平面図、（Ｃ）は筒状の魚体収納袋体１の連結部材３０を展開した縦断面図、（Ｂ）は筒状の魚体収納袋体１の連結部材３０を展開した平面図である。
【００２３】
図２は筒状の魚体収納袋体１における開閉可能な連結部材３０に面ファスナーまたはチャックもしくはスライダー式チャックを使用した例を説明する図である。
＜実施形態２＞
【００２４】
図３を参照して本発明を適用した実施形態２に係る魚体収納袋体２について説明する。
【００２５】
図３は、実施形態２の筒状の魚体収納袋体２を説明する模式図であって、（Ａ）は筒状の魚体収納袋体２の縦断面図、（Ｂ）は筒状の魚体収納袋体２の平面図、（Ｃ）は筒状の魚体収納袋体２の連結部材３０を展開した縦断面図、（Ｂ）は筒状の魚体収納袋体２の連結部材３０を展開した平面図である。
【００２６】
本実施形態の筒状の魚体収納袋体２は、上述の実施形態１の筒状の魚体収納袋体１の開閉可能な連結部材３０にボタンスナップまたはホックを使用した例を説明する図である。
＜実施形態３＞
【００２７】
図４を参照して本発明を適用した実施形態３に係る筒状の魚体収納袋体３について説明する。
【００２８】
図４は、実施形態３の筒状の魚体収納袋体３を説明する模式図であって、（Ａ）は筒状の魚体収納袋体３の縦断面図、（Ｂ）は筒状の魚体収納袋体３の平面図、（Ｃ）は筒状の魚体収納袋体３の連結部材３０を展開した断面図、（Ｂ）は筒状の魚体収納袋体３の連結部材３０を展開した平面図である。
【００２９】
本実施形態の筒状の魚体収納袋体３は、上述の実施形態１の筒状の魚体収納袋体１の開閉可能な連結部材３０をシート状部材単体１０の裏面上部に取り付け、それに合わせて透明シート状部材単体２０が連結部材１０を巻き込む形状の例を説明する図である。
【００３０】
実施形態３の筒状の魚体収納袋体３の形状は透明シート状部材単体２０とシート状部材単体１０の開閉部の接合点にすき間ができにくい特徴がある。
それにより魚の表面がより乾燥しにくく、魚が弱らないようにする効果がある。
【００３１】
なお開閉可能な連結部材３０の素材は面ファスナー、ボタンスナップ、ホック、チャック、スライダー式チャック等を使用する。
＜実施形態４＞
【００３２】
図５を参照して本発明を適用した他の変形実施形態４に係る筒状の魚体収納袋体１，２，３について説明する。
【００３３】
図５の（Ａ）は実施形態４の筒状の魚体収納袋体１を説明する模式図の斜視図で、（Ｂ）は実施形態４の筒状の魚体収納袋体２を説明する模式図の斜視図で（Ｃ）は実施形態４の筒状の魚体収納袋体３を説明する模式図の斜視図である。
【００３４】
図５の（Ａ）、（Ｂ）、（Ｃ）は図１〜図４の折りしろ部７０を設けることにより、筒状の魚体収納袋体１，２，３をゼロ点６０を境に裏側へ折り曲げることを可能とした形状の例を説明する図である。
【００３５】
筒状の魚体収納袋体１，２，３をゼロ点６０を境に裏側へ折り曲げることにより、容易に魚の頭部先端をゼロ点６０に位置決めすることができるので計測時間を短縮することが可能である。
計測後は折り目を伸ばすことにより筒状へと戻り、魚に触れることなく放流することが可能となる。
【符号の説明】
【００３６】
１、２、３  魚体収納袋体
１０  シート状部材単体
２０  透明シート状部材単体
３０  開閉可能な連結部材
４０  目盛り部
６０  ゼロ点
７０  折りしろ部
Ｆ  魚体
【図１】
2018166456.tif 000003
【図２】
2018166456.tif 000004
【図３】
2018166456.tif 000005
【図４】
2018166456.tif 000006
【図５】
2018166456.tif 000007